(57)【特許請求の範囲】
【請求項１】
未使用の転写テープが巻装された供給ボビンと、転写テープを懸架し該転写テープの塗布膜を転写対象に押圧することにより感圧転写する転写ヘッドと、転写済みの転写テープを巻き取る巻取ボビンと、各部材を保持する転写部ケースと、前記供給ボビンを軸支するとともに前記転写部ケースに遊嵌されるスリップ部材と、前記供給ボビンと前記スリップ部材との間の位置で前記スリップ部材に嵌着される供給側ギアと、前記巻取ボビンと一体となって回転する巻取側ギアと、を備えて前記各ギアにより前記供給ボビンの回転を前記巻取ボビンに伝達し、負荷調整手段として前記転写部ケース及び前記スリップ部材を有し、回転数調整手段として前記スリップ部材及び前記供給側ギアを有していることを特徴とする塗布膜転写具。
【請求項２】
前記スリップ部材は、前記供給ボビンが軸着される軸部と、該軸部の一端近傍に形成されたアーム基部及び該アーム基部から外方に突出する複数のアームからなるアーム部と、前記軸部と前記アーム基部との境界部分に位置し前記軸部よりも軸径が大きく形成された大径部と、を有し、
前記供給側ギアは、外周縁に歯が形成され中心部分に挿嵌部としての開口が形成された円板形状の歯車であって、前記挿嵌部の内周縁に前記スリップ部材の大径部に当接される複数の当接突起と、前記当接突起が形成された位置の近傍において、円周方向に切り抜きが延設されてなる弾性用開口と、を有していることを特徴とする請求項１に記載の塗布膜転写具。
【請求項３】
本体ケースと、該本体ケース内に着脱自在なリフィールと、を備え、
前記転写部ケースが前記リフィールのケースとされ、該リフィールに、前記供給ボビン、前記転写ヘッド、前記巻取ボビン、前記スリップ部材及び前記供給側ギアが内装され、前記リフィールが、前記負荷調整手段、前記回転数調整手段、を備えることを特徴とする請求項１又は請求項２に記載の塗布膜転写具。
【発明の詳細な説明】
【技術分野】
【０００１】
本発明は、修正テープや糊等の塗布膜を押圧転写する塗布膜転写具に関する。
【背景技術】
【０００２】
修正テープや糊等の塗布膜を被転写面に転写する塗布膜転写具は、文具として欠かせないものとなっている。この塗布膜転写具は、一般に、塗布膜と基材テープとからなる転写テープと、未使用の転写テープが巻装された供給ボビンと、転写済みの転写テープ（基材テープ）を巻き取る巻取ボビンと、供給ボビンの回転を巻取ボビンに伝達する回転伝達手段と、転写テープを紙等に押圧させるための転写ヘッドと、を備える。
【０００３】
このような塗布膜転写具では、転写テープに撓みが生じると転写が上手く行えない場合があるため、転写テープに常に張力を加えて緊張させておく必要があり、一般に巻取ボビンの回転数が供給ボビンの回転数よりも多くなるように各ボビンの回転数を調整している。しかしながら、供給ボビンに巻装された転写テープの量が少なくなり、巻取ボビンに巻装された基材テープの量が多くなると、巻取ボビンが一回転するごとに巻き取る基材テープの量が増えるため、回転数の差による繰り出し量と巻き取り量の差が大きくなりすぎて転写が困難となる。このため、塗布膜転写具には、供給ボビンの回転が全て巻取ボビンに伝達されないよう供給ボビンを空転させる回転数調整手段を設ける必要がある。
【０００４】
また、塗布膜転写具は、未使用の転写テープの残量が多い使用開始時と未使用の転写テープの残量が減る使用終了時迄とで回転数調整手段による供給ボビンの空転量が変化するため、使用終了時が近づくと未使用の転写テープを繰り出すのに必要な負荷が増す。よって、塗布膜転写具では、転写テープを繰り出すのに必要な負荷を一定に保つために負荷を調整する負荷調整手段を設けることがある。
【０００５】
しかしながら、上述したような回転数調整手段及び負荷調整手段を塗布膜転写具に設けた場合、塗布膜転写具の部品点数が増え、コストの上昇や組立が困難になるという問題点があった。そこで、特開２００９−１６６４３９号公報（特許文献１）では、供給ボビンに弾性アームを設け、この弾性アームをケースの円形溝に遊嵌させることにより、弾性アームと円形溝の壁面との間でスリップトルクを発生させ、負荷調整手段として働かせる提案がなされている。つまり、この提案では、負荷調整手段としての機能を供給ボビン及びケースに担わせることにより、負荷調整手段としての部材を別途設ける場合と比較して部品点数を減らすことができる。
【０００６】
また、特許文献１では、供給ボビンの回転を巻取ボビンに伝達する供給側ギアに円形溝を形成し、供給ボビンの回転軸としての機能も包含したクラッチ部材のアームを供給側ギアの円形溝に遊嵌させることで回転数調整手段を構成する提案もなされている。すなわち、この提案では、供給側ギアに回転数調整手段としての機能を包含させることで部品点数を減らすことができる。
【先行技術文献】
【特許文献】
【０００７】
【特許文献１】特開２００９−１６６４３９号公報
【発明の概要】
【発明が解決しようとする課題】
【０００８】
上述した特許文献１の発明では、負荷調整手段と回転数調整手段とを備えることにより、使用開始時と、使用終了時迄とで転写テープの繰り出しに必要な負荷を略一定に保つことができる。また、負荷調整手段及び回転数調整手段としての機能を供給ボビンやケース、供給側ギアなどの既存の部品に担わせることにより部品点数を減らすことができる。しかしながら、特許文献１の発明では、供給ボビンに弾性アームを形成していることから供給ボビンの製造コストが上がり、また、負荷調整手段として働かせるためには必ず供給ボビンをケースの円形溝に遊嵌させる必要があるため、供給ボビンとケースの位置関係などにおいて設計の自由度が低下するという問題点があった。
【０００９】
本発明は、このような従来技術の問題点に鑑みてなされたものであり、負荷調整手段及び回転数調整手段を有しながらも部品点数が少なく、かつ、設計自由度が高い塗布膜転写具を提供することを目的としている。
【課題を解決するための手段】
【００１０】
本発明の塗布膜転写具は、未使用の転写テープが巻装された供給ボビンと、転写テープを懸架し該転写テープの塗布膜を転写対象に押圧することにより感圧転写する転写ヘッドと、転写済みの転写テープを巻き取る巻取ボビンと、各部材を保持する転写部ケースと、前記供給ボビンを軸支するとともに前記転写部ケースに遊嵌されるスリップ部材と、前記供給ボビンと前記スリップ部材との間の位置で前記スリップ部材に嵌着される供給側ギアと、前記巻取ボビンと一体となって回転する巻取側ギアと、を備えて前記各ギアにより前記供給ボビンの回転を前記巻取ボビンに伝達し、負荷調整手段として前記転写部ケース及び前記スリップ部材を有し、回転数調整手段として前記スリップ部材及び前記供給側ギアを有していることを特徴とする。
【００１１】
また、本発明の塗布膜転写具において、前記スリップ部材は、前記供給ボビンが軸着される軸部と、該軸部の一端近傍に形成されたアーム基部及び該アーム基部から外方に突出する複数のアームからなるアーム部と、前記軸部と前記アーム基部との境界部分に位置し前記軸部よりも軸径が大きく形成された大径部と、を有し、前記供給側ギアは、外周縁に歯が形成され中心部分に挿嵌部としての開口が形成された円板形状の歯車であって、前記挿嵌部の内周縁に前記スリップ部材の大径部に当接される複数の当接突起と、前記当接突起が形成された位置の近傍において、円周方向に切り抜きが延設されてなる弾性用開口と、を有していることを特徴とする。
【００１２】
さらに、本発明の塗布膜転写具は、本体ケースと、該本体ケース内に着脱自在なリフィールと、を備え、前記転写部ケースが前記リフィールのケースとされ、該リフィールに、前記供給ボビン、前記転写ヘッド、前記巻取ボビン、前記スリップ部材及び前記供給側ギアが内装され、前記リフィールが、前記負荷調整手段、前記回転数調整手段、を備えることを特徴とする。
【発明の効果】
【００１３】
本発明によれば、負荷調整手段と回転数調整手段を有しながらも部品点数が少なく、かつ、設計自由度が高い塗布膜転写具を提供することができる。
【図面の簡単な説明】
【００１４】
【図１】本発明の実施形態に係る塗布膜転写具が使用可能状態にあるときの外観斜視図である。
【図２】上記塗布膜転写具が不使用状態にあるときの外観斜視図である。
【図３】本発明の実施形態に係るリフィールの外観斜視図である。
【図４】上記リフィールの分解斜視図である。
【図５】本発明の実施形態に係るスリップ部材及び供給側ギアの拡大斜視図である。
【図６】上記リフィールにおけるスリップ部材と供給側ギアとの連結部分を拡大した参考斜視図である。
【発明を実施するための形態】
【００１５】
以下、本発明の塗布膜転写具1を図に基づいて詳説する。本実施形態における塗布膜転写具1は、転写ヘッド7を紙等の転写対象上に押圧した状態で摺動させることにより、基材テープに塗布膜が塗着されてなる転写テープ51の塗布膜を転写対象上に感圧転写することができる装置である。そして、この塗布膜転写具1は、本体ケース内にリフィール5を備えており、このリフィール5を交換可能に構成されている。また、この塗布膜転写具1は、ノック機構8を備えており、このノック機構8を動作させることにより、図１及び図２に示すように転写ヘッド7を出没自在とされている。
【００１６】
そして、塗布膜転写具1の本体ケースは、リフィール5を出入自在に収容する前ケース3と、この前ケース3に着脱自在とされる後ケース4と、からなる。この前ケース3には、前端に転写ヘッド7を突出可能とする前側開口が形成され、後端にはリフィール5を出し入れするための後側開口が形成されている。
【００１７】
また、後ケース4は、ノック機構8が収容される部材であり、前端に前ケース3の後側開口に対応した開口が形成され、前ケース3に取付けられた際に、ケース内に各部品を収容可能な空間が形成されるようになっている。また、後ケース4は、後端にノックボタン80を突出可能とする貫通孔が形成され、ノック機構8を操作するノックボタン80が配設されている。
【００１８】
このノック機構8は、ノックボタン80を押動操作する度に前後方向に移動して、前方或いは後方の所定位置で固定される機構である。この機構は、ボールペンの芯を突出した状態と収納した状態とに切換える機構などとして古くから知られ、特別な特徴を必要とするものでもないので、詳細な説明は省略する。
【００１９】
次に、本実施形態に係るリフィール5について詳細に述べる。このリフィール5は、未使用の転写テープ51aの使用終了後に、塗布膜転写具1の全体を新調することなくリフィール5のみを交換することで再び塗布膜転写具1として使用可能とするための部材である。
【００２０】
そして、リフィール5は、図３及び図４に示すように、未使用の転写テープ51aが巻装された供給ボビン63と、転写テープ51が懸架された転写ヘッド7と、転写済みの転写テープ51bを巻き取る巻取ボビン66と、各部材を保持する転写部ケース55と、を備える。また、リフィール5は、供給ボビン63を軸支するとともに転写部ケース55に遊嵌されるスリップ部材71と、供給ボビン63とスリップ部材71との間の位置でスリップ部材71に嵌着される供給側ギア73と、巻取ボビン66と一体となって回転する巻取側ギアと、を有する。
【００２１】
さらに、リフィール5は、スリップ部材71、供給側ギア73及び巻取側ギアから構成される、供給ボビン63の回転を巻取ボビン66に伝達する回転伝達手段と、転写部ケース55及びスリップ部材71から構成される、未使用の転写テープ51aを繰り出すのに必要な負荷を調整する負荷調整手段と、スリップ部材71及び供給側ギア73から構成される、供給ボビン63と巻取ボビン66との回転数を調整する回転数調整手段と、を備える。
【００２２】
転写ヘッド7は、転写テープ51が懸架されて、転写テープ51を転写対象に押圧したまま摺動させることにより転写対象に塗布膜を感圧転写する部材である。この転写ヘッド7は、転写部ケース55の前端に配置されている。また、転写テープ51は、修正テープや糊などの塗布膜と、片面にこの塗布膜が剥離層を介して塗着された基材テープとから形成され、両端が供給ボビン63と巻取ボビン66とに接続され、転写ヘッド7に懸架されている。
【００２３】
転写部ケース55は、第一ケース56と第二ケース57とから構成される。第一ケース56は、後端近傍に供給ボビン63やスリップ部材71が配置される供給ボビン保持部56bを備え、供給ボビン保持部56bの前方に巻取ボビン66が配置される巻取ボビン保持部56cを備える。そして、供給ボビン保持部56bは、平板部分に円形の窪みが形成されてなる円形溝56eと、この円形溝56eの中心部分に形成され供給ボビン63などが軸着される軸56fと、を備える。また、円形溝56eは、側面を当接壁56gとされ、後述するが、この当接壁56gにスリップ部材71のアーム71gが当接される。さらに、巻取ボビン保持部56cは、平板から突出して形成された円筒形状の突出部56hを備える。また、供給ボビン保持部56bと巻取ボビン保持部56cとの間には、連動ギア78が軸着される軸56iが形成されている。
【００２４】
第二ケース57は、後端近傍に供給ボビン63やスリップ部材71が配置される供給ボビン保持部57bを備え、供給ボビン保持部57bの前方に巻取ボビン66が配置される巻取ボビン保持部57cを備える。巻取ボビン保持部57cは、平板から突出して形成された円筒形状の突出部57dと、この突出部57dと同心の円筒形状であって突出部57dの周縁を囲むように形成された逆回転防止ギア57eと、を備える。この逆回転防止ギア57eは、巻取ボビン66の逆回転を防止するための部位である。そして、第二ケース57は、転写ヘッド7や供給ボビン63、巻取ボビン66などの部材を第一ケース56との間で挟持した状態で、第一ケース56と固定されている。
【００２５】
スリップ部材71は、図５に示すように、供給ボビン63の内側に挿入される円筒形状の軸部71aと、軸部71aの所定端部に形成されたアーム部71bと、軸部71aとアーム部71bとの間に形成された大径部71cと、から構成される。また、軸部71aの外側面には、供給ボビン63の噛合溝63aと噛合する噛合突起71dが形成されている。さらに、アーム部71bは、軸部71aの一端において外方に突出する略円板形状のアーム基部71fと、アーム基部71fの外側面から外方に突出する弾性を有した複数のアーム71gと、から構成される。また、大径部71cは、軸部71aとアーム部71bのアーム基部71fとの境界部分において軸部71aよりも軸径が大きく形成されてなる。
【００２６】
このスリップ部材71は、アーム部71bが第一ケース56の円形溝56e内に挿入され、当接壁56gにアーム71gが当接された状態で第一ケース56の軸56fに軸着されている。そして、スリップ部材71のアーム部71bが円形溝56eに挿入された状態でスリップ部材71が回転すると、アーム71gと当接壁56gとの間でスリップトルクが発生し、スリップ部材71の回転に負荷がかかる。スリップ部材71の回転に負荷がかかると、後述するがスリップ部材71に軸装されている供給ボビン63の回転に負荷がかかるため、未使用の転写テープ51aを繰り出すのに負荷がかかることとなる。つまり、スリップ部材71及び第一ケース56は、負荷調整手段として機能する。
【００２７】
供給側ギア73は、外周縁に歯が形成された円板形状の平歯車であって、中央部分にはスリップ部材71の大径部71cに挿嵌される円形の開口である挿嵌部73aが形成されている。また、この挿嵌部73aにおける内側面には、内側に突出する複数の当接突起73bが等間隔で形成されている。また、供給側ギア73には、外周縁と挿嵌部73aとの間、つまり、円板上であって、各当接突起73bの近傍に、円周方向に切り抜きが延設されてなる弾性用開口73cが形成されている。この弾性用開口73cは、当接突起73bが形成された位置が円周方向の中心位置となるように形成されている。なお、複数の当接突起73bによって形成される内周縁の半径、つまり、供給側ギア73の中心から当接突起73bまでの長さは、スリップ部材71の大径部71cの半径よりも僅かに小さく形成されている。
【００２８】
そして、供給側ギア73は、図６に示すように、スリップ部材71の大径部71cの側面に挿嵌部73aに形成された当接突起73bが当接された状態で、スリップ部材71の軸部71aに嵌着されている。つまり、供給側ギア73は、スリップ部材71の大径部71cの側面を当接突起73bによって挟持した状態でスリップ部材71に嵌着されている。また、供給側ギア73は、外周縁に形成された歯が連動ギア78と噛合している。
【００２９】
この状態でスリップ部材71が回転した場合、供給側ギア73がともに回転し連動ギア78を介して図４に示した巻取ボビン66が回転するも、供給ボビン63に巻装された未使用の転写テープ51aの量が減り供給側ギア73の回転に負荷がかかった場合には、供給側ギア73の挿嵌部73a内でスリップ部材71が空転し、巻取ボビン66に伝達する回転数が調整されることとなる。
【００３０】
よって、供給側ギア73は、供給ボビン63の回転を巻取ボビン66に伝達する回転伝達手段として機能するとともに、スリップ部材71が空転可能となるため、スリップ部材71とともに回転数調整手段としても機能する。なお、弾性用開口73cは、当接突起73bが形成された部分が弾性変形可能となるように形成されている。すなわち、弾性用開口73cが形成されることにより、複数の当接突起73bによって形成される内周縁の半径がスリップ部材71の大径部71cの半径よりも小さく形成されている供給側ギア73を、スリップ部材71の大径部71cに嵌着できることとなる。また、供給側ギア73は、スリップ部材71とともに回転するも、回転に負荷がかかった場合には、当接突起73bの形成されている部分が弾性用開口73c側に変形するため、スリップ部材71が空転可能となるものである。
【００３１】
そして、本実施形態の塗布膜転写具1では、上述した負荷調整手段における回転負荷が、回転数調整手段における回転負荷よりも大きな負荷となるように形成されている。つまり、スリップ部材71と第一ケース56との間で働くスリップトルクは、スリップ部材71と供給側ギア73との間で働くスリップトルクよりも大きく形成されている。このように形成することにより、塗布膜転写具1は、供給ボビン63の回転数が少ない使用開始時と、供給ボビン63の回転数が多い使用終了時迄と、で転写時に必要な負荷の変化を小さく抑えられる。すなわち、本実施形態の塗布膜転写具1は、使用開始時における未使用の転写テープ51aの繰り出しに必要な負荷を大きくしているため、回転数調整手段による空転量が増加して空転による負荷が加わった場合であっても使用者に感じ取れるほどの違いはなく、略同一の感覚で使用できることとなる。
【００３２】
供給ボビン63は、両端面を開口とする円筒形状であって、外周縁に未使用の転写テープ51aが巻装されている。また、供給ボビン63は、内側面にスリップ部材71の噛合突起71dと噛合する噛合溝63aが形成されている。そして、供給ボビン63は、スリップ部材71の軸部71aに供給側ギア73が間に配置された状態で装着されており、スリップ部材71の噛合突起71dと供給ボビン63の噛合溝63aとが噛合することにより、供給ボビン63の回転がスリップ部材71に伝達されることとなる。
【００３３】
巻取ボビン66は、転写済みの転写テープ51bが巻装された円筒部と、円筒部の両端部から外方に突出するように形成された第一円板66a及び第二円板66bと、第一円板66aの中央から下方に突出するように形成された図示しない巻取側ギアと、から構成される。また、第二円板66bには、第二ケース57の逆回転防止ギア57eと噛合して一方の回転は許容され、他方の回転は禁止される逆転防止アーム66cが形成されている。
【００３４】
そして、巻取ボビン66は、第一ケース56の巻取ボビン保持部56cに形成された突出部56hに第一円板66a側から軸着され、第二円板66b側が第二ケース57の巻取ボビン保持部57cに形成された突出部57dに軸着されている。また、巻取ボビン66の逆転防止アーム66cが第二ケース57の逆回転防止ギア57eと噛合している。さらに、巻取側ギアが連動ギア78を介して供給側ギア73と連結されており、供給側ギア73が回転すると巻取ボビン66がともに回転する。
【００３５】
連動ギア78は、平歯車であって、供給側ギア73及び巻取側ギアと噛合された状態で、第一ケース56の軸56iに軸着されている。
【００３６】
このような構成とされた本実施形態の塗布膜転写具1では、上述したように、スリップ部材71と、供給側ギア73と、連動ギア78と、巻取側ギアと、により回転伝達手段が構成されている。すなわち、転写テープ51が繰り出されることによって供給ボビン63が回転すると、供給ボビン63と噛合されているスリップ部材71が回転し、スリップ部材71が回転すると、スリップ部材71に嵌着されている供給側ギア73が回転し、供給側ギア73が回転すると、連動ギア78によって回転が巻取ボビン66に伝達されて巻取ボビン66が回転する。
【００３７】
また、本実施形態の塗布膜転写具1では、上述したように、スリップ部材71と第一ケース56とにより負荷調整手段が構成されている。すなわち、スリップ部材71を第一ケース56に装着する場合に、スリップ部材71のアーム部71bを第一ケース56の円形溝56e内に挿入することにより、アーム部71bに形成された弾性アームと円形溝56eの当接壁56gとの間でスリップトルクが発生する。よって、塗布膜転写具1で塗布膜の転写を行った場合、未使用の転写テープ51aを繰り出すのに負荷がかかることとなる。
【００３８】
さらに、本実施形態の塗布膜転写具1では、上述したように、スリップ部材71と供給側ギア73とにより回転数調整手段が構成されている。すなわち、供給側ギア73は、挿嵌部73aに形成された当接突起73bでスリップ部材71の大径部71cを挟持した状態でスリップ部材71に嵌着されているため、スリップ部材71と連動して回転するも、回転に負荷がかかった場合には、当接突起73bが形成されている部分が弾性用開口73c側に弾性変形し、挿嵌部73a内でスリップ部材71の大径部71cが空転することとなる。よって、供給ボビン63に巻装されている未使用の転写テープ51aが減った状態で塗布膜転写具1を使用した場合であっても、供給ボビン63及び巻取ボビン66が使用開始時とは異なる回転差で回転するため、未使用の転写テープ51aの繰り出しが困難となる現象を防止できる。
【００３９】
そして、従来の塗布膜転写具では、このような回転伝達手段、負荷調整手段、回転数調整手段を構成するために多数の部品が必要となり、部品点数が増えることが問題となっていたが、本実施形態の塗布膜転写具1では、スリップ部材71が回転伝達手段、負荷調整手段、回転数調整手段を構成する部品として機能するため、各手段を有しながらも部品点数が少ない塗布膜転写具1を提供できることとなる。
【００４０】
なお、上述した実施形態では、交換可能なリフィール5が回転伝達手段、負荷調整手段及び回転数調整手段を有している構成としているが、リフィールを交換できないタイプの塗布膜転写具、つまり、使い切りタイプの塗布膜転写具であっても、同様の構成により本実施形態の目的及び効果を達成できる。すなわち、リフィール5の第一ケース56及び第二ケース57を使い切りタイプの塗布膜転写具の本体ケースとし、同様の構成とすることもできる。
【００４１】
また、本実施形態においては、ノック式の塗布膜転写具1について述べているも、このタイプに限らず、リフィールの交換が可能なあらゆる塗布膜転写具において同様の構成を用いることができる。つまり、本発明は、以上の実施形態に限定されるものでなく、発明の要旨を逸脱しない範囲で自由に変更、改良が可能である。
【符号の説明】
【００４２】
1   塗布膜転写具                    3   前ケース
4   後ケース                        5   リフィール
7   転写ヘッド                      8   ノック機構
51  転写テープ                      51a 未使用の転写テープ
51b 転写済みの転写テープ            55  転写部ケース
56  第一ケース                      56b 供給ボビン保持部
56c 巻取ボビン保持部                56e 円形溝
56f 軸                              56g 当接壁
56h 突出部                          56i 軸
57  第二ケース                      57b 供給ボビン保持部
57c 巻取ボビン保持部                57d 突出部
57e 逆回転防止ギア                  63  供給ボビン
63a 噛合溝                          66  巻取ボビン
66a 第一円板                        66b 第二円板
66c 逆転防止アーム                  71  スリップ部材
71a 軸部                            71b アーム部
71c 大径部                          71d 噛合突起
71f アーム基部                      71g アーム
73  供給側ギア                      73a 挿嵌部
73b 当接突起                        73c 弾性用開口
78  連動ギア                        80  ノックボタン
【図１】
0005528843.tif 000002
【図２】
0005528843.tif 000003
【図３】
0005528843.tif 000004
【図４】
0005528843.tif 000005
【図５】
0005528843.tif 000006
【図６】
0005528843.tif 000007